【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
データを保存する不揮発性記憶手段と、該不揮発性記憶手段へのデータの書き込みを制御する制御手段とを備える外部記録媒体を着脱可能な画像処理装置であって、
画像データを記憶する第１の記憶手段と、
前記制御手段を介して、前記第１の記憶手段に記憶された画像データの前記不揮発性記憶手段への書き込みを制御する書込制御手段と、
前記制御手段への電源供給を制御する電源制御手段と、
前記書込制御手段による書き込みが正常に行われたか否かを判定する判定手段と
を備え、
前記判定手段により、前記書込制御手段による書き込みが正常に行われていないと判定された回数が所定回数を超えた場合に、前記電源制御手段は、前記制御手段に対する電源供給を停止した後、再開することを特徴とする画像処理装置。
【請求項２】
前記書込制御手段は、前記電源制御手段による前記電源供給の再開の後、前記第１の記憶手段に記憶された画像データの前記不揮発性記憶手段への書き込みを再度行い、
前記判定手段は、前記書込制御手段による再度の前記書き込みが正常に行われたか否かを判定し、
前記判定手段により、前記再度の書き込みが正常に行われていないと判定された場合に、前記外部記憶媒体の異常を通知する通知手段を更に備えることを特徴とする請求項１に記載の画像処理装置。
【請求項３】
前記判定手段により、前記書込制御手段による書き込みが正常に行われていないと判定された回数が所定回数を超えた場合に、前記外部記憶媒体の異常を通知する第１の通知手段を更に備え、
前記電源制御手段は、前記第１の通知手段による通知の後に、前記制御手段に対する電源供給を停止した後、再開することを特徴とする請求項１に記載の画像処理装置。
【請求項４】
前記書込制御手段は、前記電源制御手段による前記電源供給の再開の後、前記第１の記憶手段に記憶された画像データの前記不揮発性記憶手段への書き込みを再度行い、
前記判定手段は、前記書込制御手段による再度の前記書き込みが正常に行われたか否かを判定し、
前記判定手段により、前記再度の書き込みが正常に行われていないと判定された場合に、前記外部記憶媒体への書き込みの失敗を通知する第２の通知手段を更に備えることを特徴とする請求項３に記載の画像処理装置。
【請求項５】
所定の被写体を撮像して前記画像データを生成する撮像手段を更に備え、
前記判定手段により、前記再度の書き込みが正常に行われていないと判定された場合に、前記撮像手段による撮像が無効とされることを特徴とする請求項２又は４に記載の画像処理装置。
【請求項６】
データを保存する不揮発性記憶手段と、該不揮発性記憶手段からのデータの読み出しを制御する制御手段とを備える外部記録媒体を着脱可能な画像処理装置であって、
画像データを記憶する第１の記憶手段と、
前記制御手段を介して、前記不揮発性記憶手段に記憶された画像データの、前記第１の記憶手段への読み出しを制御する読出制御手段と、
前記制御手段への電源供給を制御する電源制御手段と、
前記読出制御手段による読み出しが正常に行われたか否かを判定する判定手段と
を備え、
前記判定手段により、前記読出制御手段による読み出しが正常に行われていないと判定された回数が所定回数を超えた場合に、前記電源制御手段は、前記制御手段に対する電源供給を停止した後、再開することを特徴とする画像処理装置。
【請求項７】
前記読出制御手段は、前記電源制御手段による前記電源供給の再開の後、前記制御手段を介して前記不揮発性記憶手段に記憶された画像データの前記第１の記憶手段への読み出しを再度行い、
前記判定手段は、前記読出制御手段による再度の前記読み出しが正常に行われたか否かを判定し、
前記判定手段により、前記再度の読み出しが正常に行われていないと判定された場合に、前記外部記憶媒体の異常を通知する通知手段を更に備えることを特徴とする請求項６に記載の画像処理装置。
【請求項８】
前記判定手段により、前記読出制御手段による読み出しが正常に行われていないと判定された回数が所定回数を超えた場合に、前記外部記憶媒体の異常を通知する第１の通知手段を更に備え、
前記電源制御手段は、前記第１の通知手段による通知の後に、前記制御手段に対する電源供給を停止した後、再開することを特徴とする請求項６に記載の画像処理装置。
【請求項９】
前記読出制御手段は、前記電源制御手段による前記電源供給の再開の後、前記不揮発性記憶手段に記憶された画像データの前記第１の記憶手段への読み出しを再度行い、
前記判定手段は、前記読出制御手段による再度の前記読み出しが正常に行われたか否かを判定し、
前記判定手段により、前記再度の読み出しが正常に行われていないと判定された場合に、前記第１の記憶手段への読み出しの失敗を通知する第２の通知手段を更に備えることを特徴とする請求項８に記載の画像処理装置。
【請求項１０】
データを保存する不揮発性記憶部と、該不揮発性記憶部へのデータの書き込みを制御する制御部とを備える外部記録媒体を着脱可能な画像処理装置の制御方法であって、
前記制御部を介して、画像データを記憶する第１の記憶部に記憶された画像データの前記不揮発性記憶部への書き込みを制御する書込制御工程と、
前記書込制御工程における書き込みが正常に行われたか否かを判定する判定工程と、
前記判定工程において、前記書込制御工程における書き込みが正常に行われていないと判定された回数が所定回数を超えた場合に、前記制御部に対する電源供給を停止した後、再開する電源制御工程と
を備えることを特徴とする画像処理装置の制御方法。
【請求項１１】
前記書込制御工程では、前記電源制御工程における前記電源供給の再開の後、前記第１の記憶部に記憶された画像データの前記不揮発性記憶部への書き込みを再度行い、
前記判定工程では、再度の前記書き込みが正常に行われたか否かを判定し、
前記判定工程において、前記再度の書き込みが正常に行われていないと判定された場合に、前記外部記憶媒体の異常を通知する通知工程を更に備えることを特徴とする請求項１０に記載の画像処理装置の制御方法。
【請求項１２】
前記判定工程において、前記書込制御工程における書き込みが正常に行われていないと判定された回数が所定回数を超えた場合に、前記外部記憶媒体の異常を通知する第１の通知工程を更に備え、
前記電源制御工程では、前記第１の通知工程における通知の後に、前記制御部に対する電源供給が停止された後、再開されることを特徴とする請求項１０に記載の画像処理装置の制御方法。
【請求項１３】
前記書込制御工程では、前記電源制御工程における前記電源供給の再開の後、前記第１の記憶部に記憶された画像データの前記不揮発性記憶部への書き込みを再度行い、
前記判定工程では、再度の前記書き込みが正常に行われたか否かを判定し、
前記判定工程において、前記再度の書き込みが正常に行われていないと判定された場合に、前記外部記憶媒体への書き込みの失敗を通知する第２の通知工程を更に備えることを特徴とする請求項１２に記載の画像処理装置の制御方法。
【請求項１４】
前記画像処理装置は、所定の被写体を撮像して前記画像データを生成する撮像部を更に備え、
前記判定工程において、前記再度の書き込みが正常に行われていないと判定された場合に、前記撮像部による撮像が無効とされることを特徴とする請求項１１又は１３に記載の画像処理装置の制御方法。
【請求項１５】
データを保存する不揮発性記憶部と、該不揮発性記憶部からのデータの読み出しを制御する制御部とを備える外部記録媒体を着脱可能な画像処理装置の制御方法であって、
前記制御部を介して、前記不揮発性記憶部に記憶された画像データの、第１の記憶手段への読み出しを制御する読出制御工程と、
前記読出制御工程における読み出しが正常に行われたか否かを判定する判定工程と、
前記判定工程において、前記読出制御工程における読み出しが正常に行われていないと判定された回数が所定回数を超えた場合に、前記制御部に対する電源供給を停止した後、再開する電源制御工程と
を備えることを特徴とする画像処理装置の制御方法。
【請求項１６】
前記読出制御工程では、前記電源制御工程における前記電源供給の再開の後、前記制御部を介して前記不揮発性記憶部に記憶された画像データの前記第１の記憶部への読み出しを再度行い、
前記判定工程では、前記読出制御工程における再度の前記読み出しが正常に行われたか否かを判定し、
前記判定工程において、前記再度の読み出しが正常に行われていないと判定された場合に、前記外部記憶媒体の異常を通知する通知工程を更に備えることを特徴とする請求項１５に記載の画像処理装置の制御方法。
【請求項１７】
前記判定工程において、前記読出制御工程における読み出しが正常に行われていないと判定された回数が所定回数を超えた場合に、前記外部記憶媒体の異常を通知する第１の通知工程を更に備え、
前記電源制御工程では、前記第１の通知工程による通知の後に、前記制御部に対する電源供給が停止された後、再開されることを特徴とする請求項１５に記載の画像処理装置の制御方法。
【請求項１８】
前記読出制御工程では、前記電源制御工程における前記電源供給の再開の後、前記不揮発性記憶部に記憶された画像データの前記第１の記憶部への読み出しを再度行い、
前記判定工程では、前記読出制御工程における再度の前記読み出しが正常に行われたか否かを判定し、
前記判定工程において、前記再度の読み出しが正常に行われていないと判定された場合に、前記第１の記憶部への読み出しの失敗を通知する第２の通知工程を更に備えることを特徴とする請求項１７に記載の画像処理装置の制御方法。
【請求項１９】
請求項１０乃至１８のいずれか１項に記載の方法をコンピュータに実行させるためのコンピュータプログラム。
【請求項２０】
請求項１９に記載のコンピュータプログラムを格納したコンピュータで読み取り可能な記憶媒体。